(57)【要約】      （修正有）【課題】好適にカードの脱落を防止することができ、小型化が可能なカードトレイの提供。【解決手段】このカードトレイ１は、片面又は両面側にカードが収容されるカード収容凹部３，４が形成されている平板状のカード収容体１１１と、カード収容凹部３，４の内周に突出したカード保持用弾性凸体６１〜６４とを備え、カード保持用弾性凸体６１〜６４は、カード収容体１１１を構成する材料よりも弾性係数の低い材料によって形成され、カード収容体１１１と一体化されている。【選択図】図２
2018022674.tif 000002
【特許請求の範囲】
【請求項１】
片面又は両面側にカードが収容されるカード収容凹部が形成されているカードトレイにおいて、
前記カード収容凹部が形成された平板状のカード収容体と、前記カード収容凹部の内側面に突出したカード保持用弾性凸体とを備え、
前記カード保持用弾性凸体は、前記カード収容体を構成する材料よりも弾性に優れた材料によって形成され、前記カード収容体と一体化されていることを特徴とするカードトレイ。
【請求項２】
前記カード保持用弾性凸体は、カード収容方向に傾いた案内面を有する断面山形状又は半球状に形成されている請求項１に記載のカードトレイ。
【請求項３】
前記カード収容体の外周面より突出した止水用部材を備え、
該止水用部材は、前記カード収容体を構成する材料よりも弾性に優れた材料によって形成され、前記カード収容体と一体化されている請求項１又は２に記載のカードトレイ。
【請求項４】
前記カード保持用弾性凸体は、前記カード収容凹部の周縁部に形成された連結用凹部に嵌合された支持部材に一体に支持されている請求項１〜３の何れか１に記載のカードトレイ。
【請求項５】
前記止水用部材は、前記支持部材と一体に形成されている請求項４に記載のカードトレイ。
【請求項６】
前記カード収容体と別体の前面蓋部と、前記カード収容体と前記前面蓋部とを連結する連結部材とを備え、
該連結部材は、前記カード収容体及び前記前面蓋部を構成する材料よりも弾性に優れた材料によって形成され、前記カード収容体と前記前面蓋部とが前記連結部材を介して一体化されている請求項１〜５に記載のカードトレイ。
【請求項７】
前記連結部材の外周面に止水用部材を一体に備えている請求項６に記載のカードトレイ。
【請求項８】
片面又は両面側にカードが収容されるカード収容凹部が形成されているカードトレイの製造方法において、
前記カードの外形よりやや大きいカード収容凹部を備えたカード収容体を形成した後、
前記カード収容体を構成する材料よりも弾性に優れた材料からなるカード保持用弾性凸体を前記カード収容凹部の内側面に突出するように前記カード収容体と一体成形し、前記カード収容体と前記カード保持用弾性凸体とを一体化させることを特徴とするカードトレイの製造方法。
【請求項９】
前記カード保持用弾性凸体を液状射出成形によって形成する請求項７〜９の何れか一に記載のカードトレイの製造方法。
【請求項１０】
前記カード保持用弾性凸体と同じ材料をもって、該カード保持用弾性凸体と同時に前記カード収容体の外周面より突出した止水用部材を一体成形する請求項８又は９に記載のカードトレイの製造方法。
【請求項１１】
前記カード収容体と別体の前面蓋部を備え、
前記カード保持用弾性凸体と同じ材料をもって、該カード保持用弾性凸体と同時に前記カード収容体と前面蓋部との間に連結部材を一体成形し、該連結部材を介して前記カード収容体と前記前面蓋部とを連結する請求項８〜１０の何れか一に記載のカードトレイの製造方法。
【発明の詳細な説明】
【技術分野】
【０００１】
本発明は、カードコネクタにＩＣカードやメモリカード等のカードを接続するためのカードトレイに関する。
【背景技術】
【０００２】
従来、携帯電話やスマートフォン等の電子機器では、外部記憶媒体としてＩＣカードやフラッシュメモリーカード等のカードを使用し、これらのカードは、カードトレイに収容された状態でカードコネクタに挿入することにより、カードコネクタを介して電子機器に電気的に接続されるようにしたものが知られている。
【０００３】
カードトレイは、平板状のカード収容体を備え、このカード収容体の片面側にカード形状に整合させたカード収容凹部が形成され、このカード収容凹部にカードを収容するようになっている。
【０００４】
しかしながら、この種のカードトレイでは、カードがカード収容凹部内に容易に収容できるようにカードとカード収容凹部との嵌め合いを緩く設定すると、カード収容凹部の内側面とカードの外周面との間に若干の隙間が形成され、トレイを表裏で反転させた場合やカードコネクタに対する挿抜動作の際等にカードが脱落してしまうおそれがあった。
【０００５】
一方、カードとカード収容凹部との嵌め合いをきつく設定すると、カード収容凹部へのカードの着脱が容易でなく、また、その着脱動作時にカード収容体に負荷が生じ、カードトレイ又はカードの破損を招くおそれがあった。
【０００６】
一方、この種のカードトレイには、上述のような従来の問題を鑑み、カード収容凹部の内側に片持ちバネ状の押し付けバネを備え、バネによる押し付けによってカードをカード収容凹部内に保持するようにしたものが開発されている（例えば、特許文献１を参照）。
【０００７】
また、この種のカードトレイには、その前縁部分に前面蓋部を備え、カードトレイを電子機器筐体の開口部を通して筐体内に実装されたカードコネクタに挿入することにより、前面蓋部が開口部に嵌り込み、閉鎖するようにしたものを知られている。
【先行技術文献】
【特許文献】
【０００８】
【特許文献１】特開平１１-２３８５５４号公報
【発明の概要】
【発明が解決しようとする課題】
【０００９】
しかしながら、上述の如き従来の技術では、押し付けバネを支持するためにカード収容体の側部、即ち、カード収容凹部の外側部に一定の厚みを有する側壁を必要とし、また、押し付けばねの変形を許容する可動領域を設ける必要があり、その分、カードトレイ全体の外形が大きくなるという問題があり、カードトレイの小型化を妨げていた。
【００１０】
更に、従来の技術では、押し付けバネの一部がカード収容凹部内に突出する構造であるため、カードを上方からカード収容体と平行に嵌め込もうとすると、カード裏面がその突出部分と接触し、押し付けバネの塑性変形を招くおそれがあり、これを回避するためには、カードの押し付けバネ側を傾けて先に嵌め込まなければならず、使い勝手が損なわれるという問題があった。
【００１１】
更にまた、従来技術では、上記の問題を鑑み、カードが上方からカード収容体と平行に嵌め込めないように、カード収容凹部の開口側縁部に庇状の上当てを設け、この上当てを回避することで必然的に斜めに嵌め込まれるようにしたのもあり、その場合、上当てを設ける分だけカード収容体の厚みが増し、カードトレイの小型化を妨げるという問題があった。
【００１２】
また、電子機器の使用態様の多様化に伴い、この種の電子機器とカードの接続構造においては、カードトレイと電子機器筐体との間の止水処理が求められることが多くなっている。
【００１３】
さらには、カードトレイの前縁部に前面蓋部を備える場合、カードトレイが挿入されるカードコネクタ、カードコネクタが実装される基板及び基板が収容される電子機器筐体は、それぞれ別部品であるため、各部品の取付公差によって前面蓋部と筐体開口部との間に位置ずれが生じるおそれがあった。
【００１４】
そこで、本発明は、このような従来の問題に鑑み、好適にカードの脱落を防止することができ、小型化が可能なカードトレイの提供を目的としてなされたものである。
【課題を解決するための手段】
【００１５】
上述の如き従来の問題を解決するための請求項1に記載の発明の特徴は、片面又は両面側にカードが収容されるカード収容凹部が形成されているカードトレイにおいて、前記カード収容凹部が形成された平板状のカード収容体と、前記カード収容凹部の内側面に突出したカード保持用弾性凸体とを備え、前記カード保持用弾性凸体は、前記カード収容体を構成する材料よりも弾性に優れた材料によって形成され、前記カード収容体と一体化されているカードトレイにある。
【００１６】
請求項２に記載の発明の特徴は、請求項１の構成に加え、前記カード保持用弾性凸体は、カード収容方向に傾いた案内面を有する断面山形状又は半球状に形成されていることにある。
【００１７】
請求項３に記載の発明の特徴は、請求項１又は２の構成に加え、前記カード収容体の外周面より突出した止水用部材を備え、該止水用部材は、前記カード収容体を構成する材料よりも弾性に優れた材料によって形成され、前記カード収容体と一体化されていることにある。
【００１８】
請求項４に記載の発明の特徴は、請求項１〜３の何れか１の構成に加え、前記カード保持用弾性凸体は、前記カード収容凹部の周縁部に形成された連結用凹部に嵌合された支持部材に一体に支持されていることにある。
【００１９】
請求項５に記載の発明は、請求項４の構成に加え、前記止水用部材は、前記支持部材と一体に形成されていることにある。
【００２０】
請求項６に記載の発明の特徴は、請求項１〜５の何れか一の構成に加え、前記カード収容体と別体の前面蓋部と、前記カード収容体と前記前面蓋部とを連結する連結部材とを備え、該連結部材は、前記カード収容体及び前記前面蓋部を構成する材料よりも弾性に優れた材料によって形成され、前記カード収容体と前記前面蓋部とが前記連結部材を介して一体化されていることにある。
【００２１】
請求項７に記載の発明の特徴は、請求項６の構成に加え、前記連結部材の外周面に止水用部材を一体に備えていることにある。
【００２２】
請求項８に記載の発明の特徴は、片面又は両面側にカードが収容されるカード収容凹部が形成されているカードトレイの製造方法において、前記カードの外形よりやや大きいカード収容凹部を備えたカード収容体を形成した後、前記カード収容体を構成する材料よりも弾性に優れた材料からなるカード保持用弾性凸体を前記カード収容凹部の内側面に突出するように前記カード収容体と一体成形し、前記カード収容体と前記カード保持用弾性凸体とを一体化させることにある。
【００２３】
請求項９に記載の発明の特徴は、請求項８の構成に加え、前記カード保持用弾性凸体を液状射出成形によって形成することにある。
【００２４】
請求項１０に記載の発明の特徴は、請求項８又は９の構成に加え、前記カード保持用弾性凸体と同じ材料をもって、該カード保持用弾性凸体と同時に前記カード収容体の外周面より突出した止水用部材を一体成形することにある。
【００２５】
請求項１１に記載の発明の特徴は、請求項８〜１０の何れか一の構成に加え、前記カード収容体と別体の前面蓋部を備え、前記カード保持用弾性凸体と同じ材料をもって、該カード保持用弾性凸体と同時に前記カード収容体と前面蓋部との間に連結部材を一体成形し、該連結部材を介して前記カード収容体と前記前面蓋部とを連結することにある。
【発明の効果】
【００２６】
本発明に係るカードトレイは、上述したように、片面又は両面側にカードが収容されるカード収容凹部が形成されているカードトレイにおいて、前記カード収容凹部が形成された平板状のカード収容体と、前記カード収容凹部の内側面に突出したカード保持用弾性凸体とを備え、前記カード保持用弾性凸体は、前記カード収容体を構成する材料よりも弾性に優れた材料によって形成され、前記カード収容体と一体化されていることにより、カード保持用弾性凸体の圧縮反力によってカードを好適に保持でき、トレイを表裏反転させた際にもカードの脱落を防止できる。
【００２７】
また、本発明において、前記カード保持用弾性凸体は、カード収容方向に傾いた案内面を有する断面山形状又は半球状に形成されていることにより、カードを斜めに傾けて挿入する必要がなく、容易にカードをカード収容凹部内に収容することができる。
【００２８】
また、本発明において、前記カード収容体の外周面より突出した止水用部材を備え、該止水用部材は、前記カード収容体を構成する材料よりも弾性に優れた材料によって形成され、前記カード収容体と一体化されていることにより、カードトレイに止水処理を施すことが容易で、また、止水用部材をカード保持用弾性凸体と同時に形成することができ、製造工程の短縮を図ることができる。
【００２９】
更に、本発明において、前記カード保持用弾性凸体は、前記カード収容凹部の周縁部に形成された連結用凹部に嵌合された支持部材に一体に支持されていることにより、カード保持用弾性凸体のカード収容体に対する固定強度が高くなる。
【００３０】
更にまた、本発明において、前記止水用部材は、前記支持部材と一体に形成されていることにより、支持部材を介してカード保持用凸体と止水用部材とを一つの部品とすることができ、部品点数の低減及び製造工程の短縮を図ることができる。
【００３１】
また、本発明において、前記カード収容体と別体の前面蓋部と、前記カード収容体と前記前面蓋部とを連結する連結部材とを備え、該連結部材は、前記カード収容体及び前記前面蓋部を構成する材料よりも弾性に優れた材料によって形成され、前記カード収容体と前記前面蓋部とが前記連結部材を介して一体化されていることにより、カード収容体と前面蓋部とが相対移動することができ、電子機器筐体に対する基板及び基板を介して実装されるカードコネクタ（ハウジング）の取付公差等に起因して電子機器の筐体開口部とカード収容体が挿入されるカードコネクタとの位置にズレが生じた場合、当該ズレに追従して連結部材がせん断方向に変形し、カード収容体と前面蓋部とが相対移動することによって、当該ズレを吸収し、前面蓋部を円滑に筐体開口部内に嵌合することができる。
【００３２】
さらに、本発明において、前記連結部材の外周面に止水用部材を一体に備えていることにより、連結部材の変形に追従して止水用部材も変形し、好適に止水することができる。
【００３３】
本発明に係るカードトレイの製造方法は、片面又は両面側にカードが収容されるカード収容凹部が形成されているカードトレイの製造方法において、前記カードの外形よりやや大きいカード収容凹部を備えたカード収容体を形成した後、前記カード収容体を構成する材料よりも弾性に優れた材料からなるカード保持用弾性凸体を前記カード収容凹部の内側面に突出するように前記カード収容体と一体成形し、前記カード収容体と前記カード保持用弾性凸体とを一体化させることにより、カード収容体に材質の異なるカード保持用弾性凸体を好適に形成することができる。
【００３４】
更に、本発明において、前記カード保持用弾性凸体を液状射出成形によって形成することにより、カード収容凹部の内側面又はカード収容体の外周面に材質の異なるカード保持用弾性凸体を好適に一体化させることができる。
【００３５】
また、本発明において、前記カード保持用弾性凸体と同じ材料をもって、該カード保持用弾性凸体と同時に前記カード収容体の外周面より突出した止水用部材を一体成形することにより、製造工程の短縮を図ることができる。
【００３６】
さらに、本発明において、前記カード収容体と別体の前面蓋部を備え、前記カード保持用弾性凸体と同じ材料をもって、該カード保持用弾性凸体と同時に前記カード収容体と前面蓋部との間に連結部材を一体成形し、該連結部材を介して前記カード収容体と前記前面蓋部とを連結することによって、カード収容体と前面蓋部とを相対移動可能に連結することができる。
【図面の簡単な説明】
【００３７】
【図１】本発明に係るカードトレイの使用態様の一例を示す斜視図である。
【図２】（ａ）図１中の本願発明に係るカードトレイを示す平面図、（ｂ）は同背面図、（ｃ）は同縦断面図である。
【図３】同上のトレイ本体を示す平面図である。
【図４】図１中のカードトレイのカード収容部を示す部分拡大断面図であって、（ａ）はカード未挿入状態、（ｂ）はカード挿入状態の図である。
【図５】同上の他のカード収容部の状態を示す部分拡大断面図である。
【図６】本発明に係るカードトレイの他の一例を示す平面図である。
【図７】同上のインサート成形前の状態を示す平面図である。
【図８】図６に示すカードトレイの使用時の状態を示す部分拡大平面図であって、（ａ）はカード収容体と前面蓋部とに位置ズレが生じていない状態、（ｂ）は同位置ズレが生じている状態である。
【発明を実施するための形態】
【００３８】
次に、本発明に係るカードトレイの実施態様を図１〜図５に示した実施例に基づいて説明する。尚、、図中符号１はカードトレイ、符号２はカードトレイ１が接続されるカードコネクタである。
【００３９】
また、本実施例においては、カードトレイ１のカードコネクタ２に対する挿抜方向を基準に説明し、挿入方向先側を後、手前側を前とし、カードトレイ１のカード収容凹部開口側を表とする。
【００４０】
カードトレイ１は、図１に示すように、片面、即ち表面側に開口したカード収容凹部３，４を備え、カード収容凹部３，４内にカード５１，５２を収容した状態でカードコネクタ２に挿入することによりカード５１，５２がカードコネクタ２を介して電子機器と電気的に接続されるようになっている。
【００４１】
このカードトレイ１は、図２に示すように、カード収容凹部３，４が形成されたトレイ本体１１と、カード収容凹部３，４の内側面に突出したカード保持用弾性凸体６１〜６４とを備え、カード収容凹部３，４内に収容されたカード５１，５２の側面にカード保持用弾性凸体６１〜６４がそれぞれ当接することにより、カード５１，５２の脱落が防止されている。
【００４２】
トレイ本体１１は、図３に示すように、剛性の高い材料、例えば、ステンレス等の金属材により形成された平板状のカード収容体１１１と、カード収容体１１１の手前側端部に配置された前面蓋部１１２とを備えている。
【００４３】
カード収容体１１１は、表面側に開口したカード収容凹部３，４が形成され、各カード収容凹部３，４に表面側よりカード５１，５２がそれぞれ収容されるようになっている。尚、各カード収容凹部３，４の機能的に同様の構成には、同一符号を付して説明する。
【００４４】
各カード収容凹部３，４は、それぞれカード５１，５２の形状に整合させた有底凹状に形成され、表面側より収容されたカード５１，５２は、その周縁部が底部に支持され、裏面側に脱落しないようになっている。
【００４５】
尚、本実施例において、底部は、カード収容凹部３，４の互いに対向する周壁３２，３３側に配置された一対の底板部３１１，３１１をもって構成され、底板部３１１，３１１間に形成された露出窓３１２から収容されたカード５１，５２の接続パッド５１１，５１１が露出するようになっている。
【００４６】
そして、カードトレイ１がカードコネクタ２に挿入された際には、この露出窓３１２を通して各カード５１，５２の接続パッド５１１がカードコネクタ２のコンタクトと接触するようになっている。
【００４７】
また、このカード収容凹部３，４は、カード５１，５２との嵌め合いが緩く設定され、その内周形状がカード５１，５２の外形に対しやや大きく形成されている。
【００４８】
一方、カード収容凹部４の手前側周縁部には、凹状の連結用凹部４１，４２が形成され、この連結用凹部４１，４２に後述する支持部材７１，７２が嵌合され、支持部材７１，７２に一体に支持されたカード保持用弾性凸体６４がカード収容凹部４の内側面３５より内側に突出するようになっている。
【００４９】
カード保持用弾性凸体６１〜６４は、それぞれカード収容体１１１を構成する材料よりも弾性に優れた材料（以下、高弾性材料という）、具体的には、カード収容体１１１を構成する材料よりも弾性係数が低く、且つ、弾性限界が大きい材料によって形成され、各カード収容凹部３，４の内側面３４，３５より内側に突出した状態でカード収容体１１１と一体化されている。
【００５０】
高弾性材料は、射出成形可能な合成樹脂、ゴム材等の弾性体であって、具体的には、シリコーンゴム、フッ素ゴム等が望ましい。
【００５１】
各カード保持用弾性凸体６１〜６４は、カード収容凹部３，４の互いに対向する内側面３４，３５に沿って断面山形の突条状に形成され、図４に示すように、表裏方向、即ち、カード５１，５２の出し入れ方向に傾斜した案内面６５，６５を備え、その山形の頂部に断面円弧状の接触部６６が形成されている。
【００５２】
また、カード保持用弾性凸体６１〜６３は、カード収容凹部３，４の内側面３４，３５にそれぞれ突設され、カード保持用弾性凸体６４は、カード収容体１１１に形成された連結用凹部４１，４２に嵌合された各支持部材７１，７２に支持された状態でカード収容凹部４の内側面３５に突設されている。
【００５３】
支持部材７１，７２は、カード保持用弾性凸体６４と同じ材料によって連結凹部４１，４２の形状に整合させた直方体状に成形され、連結用凹部４１，４２に嵌合され、カード保持用弾性凸体６４を一体に支持している。
【００５４】
止水用部材８は、断面山形の枠状に形成され、山形の頂部を外側に向けてカード収容体１１１の後端外周面から全周に亘って突出している。
【００５５】
この止水用部材８は、カードトレイ１のカードコネクタ２に対する挿抜方向に傾斜した傾斜面８１，８１を備え、その山形の頂部に断面円弧状の接触部８２が形成されている。
【００５６】
また、この止水用部材８は、カード保持用弾性凸体６４及び支持部材７１，７２と一体に形成され、支持部材７１，７２を介してカード収容体１１１と連結され、カード収容体１１１の外周面より突出した状態でカード収容体１１１と一体化されている。
【００５７】
このカードトレイ１を製造するには、先ず、カード５１，５２の外形よりやや大きいカード収容凹部３，４を備えたカード収容体１１１を形成しておく。
【００５８】
次に、トレイ本体１１を型枠にインサートした状態で液状射出成形（リム成形：Ｌｉｑｕｉｄ  Ｉｎｊｅｃｔｉｏｎ  Ｍｏｌｄｉｎｇ）によってカード保持用弾性凸体６１〜６４、支持部材７１，７２及び止水用部材８を一体成形する。
【００５９】
これにより、材質の異なるトレイ本体１１に対し、カード保持用弾性凸体６１〜６４が各カード収容凹部３，４の内側面３４，３５に一体に突設され、止水用部材８がカード収容体１１１の外周面全周に亘って突設される。
【００６０】
このように構成されたカードトレイ１では、カード収容凹部３，４にカード５１，５２を収容する場合、カード５１，５２は、その底面がカード保持用弾性凸体６１〜６４の案内面６５，６５に案内されて、カード収容凹部３，４内、即ち、カード保持用弾性凸体６１，６２（又は６３，６４）間に誘導される。
【００６１】
その際、カード収容体１１１が金属材等の剛性の高い材料で構成されているので、カード保持用弾性凸体６１〜６４は、カード収容凹部３，４の内側面３４，３５に反力を取って好適に弾性変形でき、カード５１，５２の側面に押圧され、カード収容凹部３，４の内側面３４，３５とカード５１，５２側面との間で圧縮される。
【００６２】
よって、このカードトレイ１では、カード保持用弾性凸体６１〜６４の弾性力（圧縮反力）によってカード収容凹部３，４内にカード５１，５２が保持され、カード収容体１１１を反転させて下に向けてもカード５１，５２が容易に脱落しないようになっている。
【００６３】
一方、カード収容体１１１は、金属材等の剛性の高い材料で構成されていることに加え、カード５１，５２との間にカード保持用弾性凸体６１〜６４が介在されていることで、カード５１，５２からの押圧力が吸収され、カード収容凹部３，４の外側部分に作用する負担が軽減されるので、其の部分の肉厚を薄くでき、その分カードトレイの小型化を図ることができる。
【００６４】
さらには、このカードトレイ１では、カード収容体１１１の手前側部分に外周面の全周に亘って止水用部材８が突設されているので、図５に示すように、カードトレイ１を電子機器筐体９に挿入した際、電子機器筐体９に形成されたトレイ挿入口９１とカード収容体１１１との隙間を止水用部材８で閉鎖し、カードトレイ１と電子機器筐体９との間が止水できるようになっている。
【００６５】
また、この止水用部材８は、カード保持用弾性凸体６１〜６４と同じ材料、即ち、カード収容体１１１を構成する材料よりも弾性に優れた材料、即ち、カード収容体１１１を構成する材料よりも弾性係数が低く、弾性限界の大きい材料によって、カード保持用弾性凸体６１〜６４と同時に一体形成されるので、ゴムパッキン等の止水部材を別途用いる必要がなく、部品点数の低減を図るとともに、製造工程の短縮を図ることができる。
【００６６】
尚、本発明に係るカードトレイ１は、図６〜図８に示すように、カード収容体１１１と別体の前面蓋部１１２と、カード収容体１１１と前面蓋部１１２とを連結する連結部材８５とを備え、カード収容体１１１と前面蓋部１１２とが連結部材８５を介して一体化されたものでもよい。尚、上述の実施例と同様の構成には、同一符号を付して説明する。
【００６７】
カード収容体１１１及び前面蓋部１１２は、それぞれ剛性の高い材料、例えば、ステンレス等の金属材により形成されている。尚、カード収容体１１１と前面蓋部１１２とは、必ずしも同じ材料でなくともよく、それぞれ剛性の高い異なる材料によって構成されてもよい。
【００６８】
カード収容体１１１は、図１〜図５に示す実施例と同様に、表面側に開口したカード収容凹部３，４が形成され、各カード収容凹部３，４に表面側よりカード５１，５２がそれぞれ収容されるようになっている。
【００６９】
また、このカード収容体１１１には、カード収容凹部３，４の内側面に突出したカード保持用弾性凸体６５〜６７を備え、カード収容凹部３，４内に収容されたカード５１，５２の側面にカード保持用弾性凸体６５〜６７がそれぞれ当接することにより、カード５１，５２の脱落が防止されている。
【００７０】
このカード保持用弾性凸体６５〜６７は、カード保持用弾性凸体６１〜６４と同様に、高弾性材料、即ち、カード収容体１１１を構成する材料よりも弾性に優れた材料、具体的には、カード収容体１１１及び前面蓋部１１２を構成する材料よりも弾性係数が低く、且つ、弾性限界が大きい材料によって形成されている。
【００７１】
一方、カード収容凹部４の手前側周縁部には、凹状の連結用凹部４３，４３が形成され、この連結用凹部４３，４３に連結部材８５と一体に形成された支持部材７３，７３が嵌合され、支持部材７３，７３に一体に支持されたカード保持用弾性凸体６７がカード収容凹部４の内側面３５より内側に突出するようになっている。
【００７２】
尚、カード保持用凸体６５〜６７及び支持部材７３，７３は、上述した図１〜図５に示す実施例のものと同様の構成を成すものであり、ここでは説明を割愛する。
【００７３】
一方、連結部材８５は、カード保持用弾性凸体６５〜６７と同じ高弾性材料、即ち、カード収容体１１１及び前面蓋部１１２を構成する材料よりも弾性に優れた材料、具体的には、カード収容体１１１及び前面蓋部１１２を構成する材料よりも弾性係数が低く、且つ、弾性限界が大きい材料によって形成され、カード収容体１１１の前端面及び前面蓋部１１２の後端面に対し融着されている。
【００７４】
この連結部材８５は、カード収容体１１１の前端面と同じ断面を有する薄型直方体状に形成され、その外周面には、環状の止水用部材８６を一体に備えている。
【００７５】
止水用部材８６は、断面山形の枠状に形成され、山形の頂部を外側に向けて連結部材８５の外周面全周に亘って突出している。
【００７６】
尚、カード保持用弾性凸体６５〜６７及び連結部材８５に使用する高弾性材料は、射出成形可能な合成樹脂、ゴム材等の弾性体であって、具体的には、シリコーンゴム、フッ素ゴム等が使用される。
【００７７】
このカードトレイは、トレイ収容体１１１、前面蓋部１１２を型枠にインサートした状態で液状射出成形（リム成形：Ｌｉｑｕｉｄ  Ｉｎｊｅｃｔｉｏｎ  Ｍｏｌｄｉｎｇ）によってカード保持用弾性凸体６１〜６４、支持部材７３，７３及び連結部材８５を一体成形することにより製造される。
【００７８】
このように構成されたカードトレイ１は、図８（ｂ）に示すように、電子機器筐体９に対する基板及び基板を介して実装されるカードコネクタ（ハウジング）９３の取付公差等に起因して電子機器の筐体開口部９２とカード収容体１１１が挿入されるカードコネクタ９３との位置にズレが生じた場合、当該ズレに追従して連結部材８５がせん断方向に変形し、前面蓋部１１２がカード収容体１１１に対し相対移動する。
【００７９】
よって、カードトレイ１では、カード収容体１１１と前面蓋部１１２とが相対移動することによって、当該ズレを吸収し、前面蓋部１１２が円滑に筐体開口部９２内に嵌合されるので、カードトレイ１とカードコネクタ９３、カードトレイ１と電子機器筐体９との干渉を防止することができる。
【００８０】
尚、上述の実施例では、カード保持用弾性凸体６１〜６４をカード収容凹部３，４の互いに対向する内側面にそれぞれ備えた例について説明したが、カード保持用弾性凸体６１〜６４は、対向する内側面の何れか一方にのみ備えていてもよく、また、カード保持用弾性凸体６１〜６４をカード収容凹部３，４の内側面全周に亘って備えるものであってもよい。
【００８１】
また、上述の実施例では、カード収容体１１１をステンレス等の金属材によって構成した例について説明したが、カード収容体１１１、カード保持用弾性凸体６１〜６４、止水用部材８及び支持部材７１，７２は、合成樹脂によって構成されたものであってもよく、その場合には、カード収容体１１１に対しカード保持用弾性凸体６１〜６４、止水用部材８及び支持部材７１，７２を構成する樹脂材により弾性に富む、弾性係数の低い材料を選定すればよい。
【符号の説明】
【００８２】
１  カードトレイ
１１  トレイ本体
２  カードコネクタ
３  カード収容凹部
４  カード収容凹部
５１，５２  カード
６１〜６４  カード保持用弾性凸体
６５  案内面
６６  接触部
７１，７２  支持部材
８  止水用部材
８１  傾斜面
８２  接触部
９  電子機器筐体
９１  トレイ挿入口
【図１】
2018022674.tif 000003
【図２】
2018022674.tif 000004
【図３】
2018022674.tif 000005
【図４】
2018022674.tif 000006
【図５】
2018022674.tif 000007
【図６】
2018022674.tif 000008
【図７】
2018022674.tif 000009
【図８】
2018022674.tif 000010